(57)【特許請求の範囲】
【請求項１】
方法であって、
基地局によって送信された低再使用プリアンブルを検出することと、
前記基地局に関連付けられたシステム情報を識別するために、前記低再使用プリアンブルを評価することと、
を備え、
ここで、前記低再使用プリアンブルは、同期信号または基準信号のうちの少なくとも１つを含み、サブ・フレームのトラフィック・チャネル部分において位置決めされる、方法。
【請求項２】
前記トラフィック・チャネルは、物理ダウンリンク共有チャネルである、請求項１に記載の方法。
【請求項３】
干渉元の基地局を経由して、前記基地局に関連付けられたネットワークと同期することをさらに備える、請求項１に記載の方法。
【請求項４】
サブ・フレームのトラフィック・チャネル部分を識別することをさらに備える、請求項３に記載の方法。
【請求項５】
前記干渉元の基地局は、フェムトセルに関連付けられている、請求項３に記載の方法。
【請求項６】
前記低再使用プリアンブルを検出することは、前記同期信号を識別することを備える、請求項１に記載の方法。
【請求項７】
前記低再使用プリアンブルを評価することは、前記システム情報を取得するために、ブロードキャスト・チャネルを復号することを備える、請求項１に記載の方法。
【請求項８】
方法であって、
基地局によって送信された低再使用プリアンブルを検出することと、
前記基地局に関連付けられたシステム情報を識別するために、前記低再使用プリアンブルを評価することと、
を備え、
ここで、前記低再使用プリアンブルは、同期信号または基準信号のうちの少なくとも１つを含み、サブ・フレームのトラフィック・チャネル部分において位置決めされ、前記システム情報は、セル識別情報、システム帯域幅情報、システム・フレーム数、ハイブリッド自動反復要求チャネル設定情報、ランダム・アクセス情報、オペレータ情報、または制限情報のうちの少なくとも１つを含む方法。
【請求項９】
無線通信装置であって、
基地局によって送信された低再使用プリアンブルを識別することと、
前記基地局に関連付けられたシステム情報を識別するために、前記低再使用プリアンブルを評価することと、
に関連する命令群を保持するメモリと、
前記メモリに接続され、前記メモリに保持された命令群を実行するように構成されたプロセッサと
を備え、
ここで、前記低再使用プリアンブルは、同期信号または基準信号のうちの少なくとも１つを含み、サブ・フレームのトラフィック・チャネル部分において位置決めされる、無線通信装置。
【請求項１０】
前記メモリはさらに、干渉元の基地局を経由して、前記基地局に関連付けられたネットワークと同期することに関連する命令群を保持する、請求項９に記載の無線通信装置。
【請求項１１】
前記メモリはさらに、前記同期信号を識別することに関連する命令群を保持する、請求項９に記載の無線通信装置。
【請求項１２】
前記メモリはさらに、前記システム情報を取得するために、ブロードキャスト・チャネルを復号することに関連する命令群を保持する、請求項９に記載の無線通信装置。
【請求項１３】
高干渉環境において基地局の検出を可能にする装置であって、
前記基地局によって送信された低再使用プリアンブルを検出する手段と、
前記基地局に関連付けられたシステム情報を取得するために、前記低再使用プリアンブルを分析する手段と、
を備え、
ここで、前記低再使用プリアンブルは、同期信号または基準信号のうちの少なくとも１つを含み、サブ・フレームのトラフィック・チャネル部分において位置決めされる、装置。
【請求項１４】
干渉元の基地局を経由して、前記基地局に関連付けられたネットワークと同期する手段をさらに備える、請求項１３に記載の装置。
【請求項１５】
前記同期信号を識別する手段をさらに備える、請求項１３に記載の装置。
【請求項１６】
前記システム情報を取得するために、ブロードキャスト・チャネルを復号する手段をさらに備える、請求項１３に記載の装置。
【請求項１７】
コンピュータ・プログラム製品であって、
少なくとも１つのコンピュータに対して、基地局によって送信された低再使用プリアンブルを検出させるためのコードと、
前記少なくとも１つのコンピュータに対して、前記基地局に関連付けられたシステム情報を識別するために、前記低再使用プリアンブルを評価させるためのコードと、を備えるコンピュータ読取可能な媒体を備え、
前記低再使用プリアンブルは、同期信号または基準信号のうちの少なくとも１つを含み、サブ・フレームのトラフィック・チャネル部分において位置決めされる、コンピュータ・プログラム製品。
【請求項１８】
前記コンピュータ読取可能な媒体はさらに、前記少なくとも１つのコンピュータに対して、干渉元の基地局を経由して、前記基地局に関連付けられたネットワークと同期させるためのコードを備える、請求項１７に記載のコンピュータ・プログラム製品。
【請求項１９】
前記コンピュータ読取可能な媒体はさらに、前記少なくとも１つのコンピュータに対して、サブ・フレームのトラフィック・チャネル部分を識別させるためのコードを備える、請求項１８に記載のコンピュータ・プログラム製品。
【請求項２０】
前記コンピュータ読取可能な媒体はさらに、前記少なくとも１つのコンピュータに対して、前記同期信号を識別させるためのコードを備える、請求項１７に記載のコンピュータ・プログラム製品。
【請求項２１】
前記コンピュータ読取可能な媒体はさらに、前記少なくとも１つのコンピュータに対して、前記システム情報を取得するために、ブロードキャスト・チャネルを復号させるためのコードを備える、請求項１７に記載のコンピュータ・プログラム製品。
【請求項２２】
コンピュータ・プログラム製品であって、
少なくとも１つのコンピュータに対して、基地局によって送信された低再使用プリアンブルを検出させるためのコードと、
前記少なくとも１つのコンピュータに対して、前記基地局に関連付けられたシステム情報を識別するために、前記低再使用プリアンブルを評価させるためのコードと、を備えるコンピュータ読取可能な媒体を備え、
ここで、前記低再使用プリアンブルは、同期信号または基準信号のうちの少なくとも１つを含み、サブ・フレームのトラフィック・チャネル部分において位置決めされ、前記システム情報は、セル識別情報、システム帯域幅情報、システム・フレーム数、ハイブリッド自動反復要求チャネル設定情報、ランダム・アクセス情報、オペレータ情報、または制限情報のうちの少なくとも１つを含むコンピュータ・プログラム製品。
【請求項２３】
無線通信装置であって、
基地局によって送信された低再使用プリアンブルを識別し、ここで、前記低再使用プリアンブルは、サブ・フレームのトラフィック・チャネル部分で送信され、
前記基地局に関連付けられたシステム情報を識別するために、前記低再使用プリアンブルを評価する、
ように構成されたプロセッサを備え、
ここで、前記低再使用プリアンブルは、同期信号または基準信号のうちの少なくとも１つを含み、サブ・フレームのトラフィック・チャネル部分において位置決めされる、無線通信装置。
【請求項２４】
方法であって、
基地局に関連付けられたシステム情報を含む低再使用プリアンブルを生成することと、
前記低再使用プリアンブルを少なくとも１つのモバイル・デバイスへ送信することと、を備え、
ここで、前記低再使用プリアンブルは、同期信号または基準信号のうちの少なくとも１つを含み、サブ・フレームのトラフィック・チャネル部分において位置決めされる、方法。
【請求項２５】
前記同期信号は、Ｚａｄｏｆｆ−Ｃｈｕシーケンスである、請求項２４に記載の方法。
【請求項２６】
前記同期信号は、２進数のシーケンスである、請求項２４に記載の方法。
【請求項２７】
前記同期信号を備えるシーケンスを用いて、ブロードキャスト・チャネルをスクランブルすることをさらに備える、請求項２４に記載の方法。
【請求項２８】
前記同期信号を備えるシーケンスを用いて、前記基準信号をスクランブルすることをさらに備える、請求項２４に記載の方法。
【請求項２９】
ブロードキャスト・チャネルにおける前記システム情報を符号化することをさらに備える、請求項２４に記載の方法。
【請求項３０】
前記基準信号のために共通基準信号構造を適用することをさらに備える、請求項２４に記載の方法。
【請求項３１】
前記低再使用プリアンブルを、サブ・フレームのトラフィック・チャネル部分に組み込むこと、をさらに備え、
前記低再使用プリアンブルを、前記トラフィック・チャネル部分に組み込むことは、制御シグナリング信号および共通基準信号を伝送する、前記サブ・フレームのシンボルを回避することを備える、請求項２４に記載の方法。
【請求項３２】
無線通信装置であって、
基地局に関連付けられたシステム情報を含む低再使用プリアンブルを生成することと、
前記低再使用プリアンブルを、少なくとも１つのモバイル・デバイスへ送信することと、
に関連する命令群を保持するメモリと、
前記メモリに接続され、前記メモリに保持された命令群を実行するように構成されたプロセッサと、
を備え、
前記低再使用プリアンブルは、同期信号または基準信号のうちの少なくとも１つを含み、サブ・フレームのトラフィック・チャネル部分において位置決めされる、無線通信装置。
【請求項３３】
前記メモリはさらに、前記同期信号を備えるシーケンスを用いて、ブロードキャスト・チャネルをスクランブルすることに関連する命令群を保持する、請求項３２に記載の無線通信装置。
【請求項３４】
前記メモリはさらに、前記同期信号を備えるシーケンスを用いて、前記基準信号をスクランブルすることに関連する命令群を保持する、請求項３２に記載の無線通信装置。
【請求項３５】
前記メモリはさらに、ブロードキャスト・チャネルにおける前記システム情報を符号化することに関連する命令群を保持する、請求項３２に記載の無線通信装置。
【請求項３６】
前記メモリはさらに、前記基準信号を生成するために共通基準信号構造を適用することに関連する命令群を保持する、請求項３２に記載の無線通信装置。
【請求項３７】
前記メモリはさらに、
前記サブ・フレーム内の制御シグナリング・シンボルおよび共通基準信号シンボルを識別することと、
前記制御シグナリング・シンボルおよび共通基準信号シンボルに対してオーバラップしない方式で、前記低再使用プリアンブルを配置することと、
に関連する命令群を保持する、請求項３２に記載の無線通信装置。
【請求項３８】
装置であって、
基地局に関連付けられたシステム情報を含む低再使用プリアンブルを生成する手段と、 前記低再使用プリアンブルを、少なくとも１つのモバイル・デバイスへ送信する手段と、
を備え、
前記低再使用プリアンブルは、同期信号または基準信号のうちの少なくとも１つを含み、サブ・フレームのトラフィック・チャネル部分において位置決めされる、装置。
【請求項３９】
前記同期信号に含まれたシーケンスを用いて、ブロードキャスト・チャネルまたは基準信号のうちの少なくとも１つをスクランブルする手段をさらに備える、請求項３８に記載の装置。
【請求項４０】
ブロードキャスト・チャネルにおける前記システム情報を符号化する手段をさらに備える、請求項３８に記載の装置。
【請求項４１】
前記サブ・フレーム内の制御シグナリング・シンボルおよび共通基準信号シンボルを識別する手段と、
制御シグナリング・シンボルおよび共通基準信号シンボルに対してオーバラップしない方式で、前記低再使用プリアンブルを配置する手段と
をさらに備える、請求項３８に記載の装置。
【請求項４２】
コンピュータ・プログラム製品であって、
少なくとも１つのコンピュータに対して、基地局に関連付けられたシステム情報を含む低再使用プリアンブルを生成させるためのコードと、
前記少なくとも１つのコンピュータに対して、サブ・フレーム内の制御シグナリング・シンボルおよび共通基準信号シンボルを識別させるためのコードと、
前記少なくとも１つのコンピュータに対して、前記低再使用プリアンブルを少なくとも１つのモバイル・デバイスへ送信させるためのコードと、
を備えるコンピュータ読取可能な媒体を備え、
前記低再使用プリアンブルは、同期信号または基準信号のうちの少なくとも１つを含みサブ・フレームのトラフィック・チャネル部分において位置決めされる、コンピュータ・プログラム製品。
【請求項４３】
前記コンピュータ読取可能な媒体はさらに、前記少なくとも１つのコンピュータに対して、ブロードキャスト・チャネルにおける前記システム情報を符号化させるためのコードを備える、請求項４２に記載のコンピュータ・プログラム製品。
【請求項４４】
無線通信装置であって、
基地局に関連付けられたシステム情報を含む低再使用プリアンブルを生成し、
サブ・フレーム内の制御シグナリング・シンボルおよび共通基準信号シンボルを識別し、
前記低再使用プリアンブルを少なくとも１つのモバイル・デバイスへ送信する、ように構成されたプロセッサを備え、
前記低再使用プリアンブルは、同期信号または基準信号のうちの少なくとも１つを含み、サブ・フレームのトラフィック・チャネル部分において位置決めされる、無線通信装置。
【請求項４５】
前記プロセッサはさらに、ブロードキャスト・チャネルにおける前記システム情報を符号化するように構成された、請求項４４に記載の無線通信装置。
【請求項４６】
前記システム情報は、セル識別情報、システム帯域幅情報、システム・フレーム数、ハイブリッド自動反復要求チャネル設定情報、ランダム・アクセス情報、オペレータ情報、または制限情報のうちの少なくとも１つを含む、請求項９に記載の無線通信装置。
【請求項４７】
前記システム情報は、セル識別情報、システム帯域幅情報、システム・フレーム数、ハイブリッド自動反復要求チャネル設定情報、ランダム・アクセス情報、オペレータ情報、または制限情報のうちの少なくとも１つを含む、請求項１３に記載の装置。
【請求項４８】
前記メモリはさらに、前記低再使用プリアンブルを、サブ・フレームのトラフィック・チャネル部分に組み込み、前記低再使用プリアンブルを少なくとも１つのモバイル・デバイスへ送信するように関連する命令群を保持し、
前記低再使用プリアンブルを、前記トラフィック・チャネル部分に組み込むことは、制御シグナリング信号および共通基準信号を伝送する、前記サブ・フレームのシンボルを回避することを備える、請求項３２記載の無線通信装置。
【請求項４９】
前記低再使用プリアンブルを、サブ・フレームのトラフィック・チャネル部分に組み込む手段と、
前記低再使用プリアンブルを少なくとも１つのモバイル・デバイスへ送信する手段と、をさらに備え、
前記低再使用プリアンブルを、前記トラフィック・チャネル部分に組み込む手段は、制御シグナリング信号および共通基準信号を伝送する、前記サブ・フレームのシンボルを回避する手段を備える、請求項３８記載の装置。
【請求項５０】
少なくとも１つのコンピュータに対して、前記低再使用プリアンブルを、サブ・フレームのトラフィック・チャネル部分に組み込ませるためのコードと、
前記少なくとも１つのコンピュータに対して、前記低再使用プリアンブルを少なくとも１つのモバイル・デバイスへ送信させるためのコードと、をさらに備え、
前記少なくとも１つのコンピュータに対して、前記低再使用プリアンブルを、前記トラフィック・チャネル部分に組み込ませるためのコードは、前記少なくとも１つのコンピュータに対して、制御シグナリング信号および共通基準信号を伝送する、前記サブ・フレームのシンボルを回避させるためのコードを備える、請求項４２記載のコンピュータ・プログラム製品。
【請求項５１】
前記プロセッサは、前記低再使用プリアンブルを、サブ・フレームのトラフィック・チャネル部分に組み込み、前記低再使用プリアンブルを少なくとも１つのモバイル・デバイスへ送信するようにさらに構成され、
前記低再使用プリアンブルを、前記トラフィック・チャネル部分に組み込むことは、制御シグナリング信号および共通基準信号を伝送する、前記サブ・フレームのシンボルを回避することを備える、請求項４４記載の無線通信装置。
【発明の詳細な説明】
【優先権主張】
【０００１】
本特許出願は、「低再使用プリアンブル」（LOW REUSE PREAMBLE）と題され２００９年７月１５日に出願された米国仮出願番号６１／２２５，７９５、および、「低再使用プリアンブル」（LOW REUSE PREAMBLE）と題され２００９年７月１６日に出願された米国仮出願番号６１／２２６，００１号、に対する優先権を主張する。上記米国仮出願は、本願の譲受人に譲渡され、その全体が参照によって明確に組み込まれている。
【技術分野】
【０００２】
以下の記載は、一般に、無線通信システムに関し、さらに詳しくは、低再使用プリアンブルによって高干渉シナリオにおけるセルの検出を容易にすることに関する。
【背景技術】
【０００３】
無線通信システムは、例えば音声およびデータのようなさまざまなタイプの通信コンテンツを提供するために広く開発された。一般に、無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰ２、高速パケット・アクセス（ＨＳＰＡ）、高速ダウンリンク・パケット・アクセス（ＨＳＤＰＡ）、高速アップリンク・パケット・アクセス（ＨＳＵＰＡ）、３ＧＰＰロング・ターム・イボリューション（ＬＴＥ）、ＬＴＥアドバンスト（ＬＴＥ−Ａ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
高レート・サービスおよびマルチメディア・データ・サービスに対する需要が急速に増大するとともに、増強されたパフォーマンスを備えた効率的かつロバストな通信システムの実現に向けた努力がなされている。例えば、近年、ユーザは、固定線通信をモバイル通信と置き換え、優れた音声品質、信頼できるサービス、および低価格をますます要求し始めた。
【０００６】
現在展開されているモバイル電話ネットワークに加えて、小さな基地局からなる新たなクラスが出現している。これは、ユーザの住居に搭載され、既存のブロードバンド・インターネット接続を用いて、モバイル・ユニットに屋内無線有効通信範囲を提供する。そのような個人的な小さな基地局は、一般に、アクセス・ポイント基地局、あるいは、ホーム・ノードＢ（ＨＮＢ）またはフェムトセルとして知られている。一般に、このような小型基地局は、デジタル加入者線（ＤＳＬ）ルータ、ケーブル・モデム等を経由して、インターネットおよびモバイル・オペレータのネットワークに接続される。
【０００７】
無線通信システムは、システム内のそれぞれの位置のために有効通信範囲を提供しうる一連の無線アクセス・ポイントを含むように構成されうる。このようなネットワーク構成は、一般に、セルラ・ネットワーク構成と呼ばれ、アクセス・ポイントや、これらアクセス・ポイントがそれぞれネットワーク内でサービス提供する位置は、一般に、セルと呼ばれる。これらネットワークは、フェムトセルのみならず、より広いエリアをカバーするマクロセルをも含みうる。信号強度は一般に、通信距離が長くなると低下するので、ネットワーク・ユーザは、さまざまな環境の下、ユーザから遠く離れて位置するセルに比べて、ユーザに物理的に近くに位置するセルとの間で、実質的に強い信号を交換しうる。したがって、フェムトセルの近傍に位置するマクロセルラ・ユーザ機器（ＵＥ）は、フェムトセルからの強い干渉によって、マクロセル基地局の検出、獲得、およびマクロセル基地局への登録に失敗しうる。
【発明の概要】
【０００８】
１または複数の実施形態および対応する開示によれば、さまざまな態様は、高干渉状況におけるセル探索および検出を容易にすることに関連付けられて記載されている。ヘテロジニアスなネットワークは、マクロセルラＵＥによるマクロセル獲得を阻害しうる、複数の無計画なフェムトセル展開を含みうる。ネットワーク内の基地局は、システム情報を含む低再使用プリアンブルを送信しうる。ここで、低再使用プリアンブルは、例えば物理ダウンリンク共有チャネルのようなダウンリンク・トラフィック・チャネルにおいてトンネルされる。ＵＥは、低再使用プリアンブルを検出する。そして、システム情報を得るために、このプリアンブルを評価する。
【０００９】
第１の態様によれば、本明細書では、基地局によって送信された低再使用プリアンブルを検出することを含みうる方法が記載される。それに加えて、この方法は、基地局に関連付けられたシステム情報を識別するために、低再使用プリアンブルを評価することを含みうる。
【００１０】
別の態様は、無線通信装置に関する。この無線通信装置は、基地局によって送信された低再使用プリアンブルを識別することと、基地局に関連付けられたシステム情報を識別するために、低再使用プリアンブルを評価することと、に関連する命令群を保持するメモリを含みうる。この無縁通信装置はさらに、メモリに接続され、メモリに保持された命令群を実行するように構成されたプロセッサをも含みうる。
【００１１】
さらに別の態様は、高干渉環境において基地局の検出を可能にする装置に関する。この装置は、基地局によって送信された低再使用プリアンブルを検出する手段を含みうる。この装置はまた、基地局に関連付けられたシステム情報を取得するために、低再使用プリアンブルを分析する手段をも含みうる。
【００１２】
また別の態様は、コンピュータ読取可能媒体を備えるコンピュータ・プログラム製品に関する。このコンピュータ読取可能媒体は、少なくとも１つのコンピュータに対して、基地局によって送信された低再使用プリアンブルを検出させるためのコードを含みうる。それに加えて、このコンピュータ読取可能媒体は、少なくとも１つのコンピュータに対して、基地局に関連付けられたシステム情報を識別するために、低再使用プリアンブルを評価させるためのコードを含みうる。
【００１３】
別の態様によれば、無線通信装置が記載される。この無線通信装置は、基地局によって送信された低再使用プリアンブルを識別するように構成されたプロセッサを含みうる。ここで、低再使用プリアンブルは、サブ・フレームのトラフィック・チャネル部分で送信される。このプロセッサはさらに、基地局に関連付けられたシステム情報を識別するために、低再使用プリアンブルを評価するように構成されうる。
【００１４】
他の態様によれば、基地局に関連付けられたシステム情報を含む低再使用プリアンブルを生成することを含みうる方法が記載される。この方法はまた、低再使用プリアンブルを、サブ・フレームのトラフィック・チャネル部分に組み込むことを含みうる。さらに、この方法は、低再使用プリアンブルを少なくとも１つのモバイル・デバイスへ送信することを含みうる。
【００１５】
別の態様は、メモリを備える無線通信装置に関する。このメモリは、基地局に関連付けられたシステム情報を含む低再使用プリアンブルを生成することと、ここで、低再使用プリアンブルは、同期信号、ブロードキャスト・チャネル、または基準信号の少なくとも１つを含む、低再使用プリアンブルを、サブ・フレームのトラフィック・チャネル部分に組み込むことと、に関連する命令群を保持する。このメモリはさらに、低再使用プリアンブルを少なくとも１つのモバイル・デバイスへ送信することに関連する命令群を保持する。この無線通信装置は、メモリに接続され、メモリに保持された命令群を実行するように構成されたプロセッサをも含みうる。
【００１６】
また、別の態様は、基地局に関連付けられたシステム情報を含む低再使用プリアンブルを生成する手段を含みうる装置に関する。ここで、低再使用プリアンブルは、同期信号、ブロードキャスト・チャネル、または基準信号の少なくとも１つを含む。この装置はまた、低再使用プリアンブルを、サブ・フレームのトラフィック・チャネル部分に組み込む手段をも含みうる。さらに、この装置は、低再使用プリアンブルを少なくとも１つのモバイル・デバイスへ送信する手段を含みうる。
【００１７】
また別の態様は、コンピュータ読取可能媒体を備えるコンピュータ・プログラム製品に関する。このコンピュータ読取可能媒体は、少なくとも１つのコンピュータに対して、基地局に関連付けられたシステム情報を含む低再使用プリアンブルを生成させるためのコードを含みうる。ここで、低再使用プリアンブルは、同期信号、ブロードキャスト・チャネル、または基準信号の少なくとも１つを含む。このコンピュータ読取可能媒体はさらに、少なくとも１つのコンピュータに対して、サブ・フレーム内の制御シグナリング・シンボルおよび共通基準信号シンボルを識別させるためのコードをも含みうる。さらに、このコンピュータ読取可能媒体は、少なくとも１つのコンピュータに対して、制御シグナリング・シンボルおよび共通基準信号シンボルに対してオーバラップしない方式で、サブ・フレームのトラフィック・チャネルへ低再使用プリアンブルを組み込ませるためのコードを含みうる。さらに、このコンピュータ読取可能媒体は、少なくとも１つのコンピュータに対して、低再使用プリアンブルを少なくとも１つのモバイル・デバイスへ送信させるためのコードを含みうる。
【００１８】
別の態様によれば、無線通信装置が記述される。この装置は、基地局に関連付けられたシステム情報を含む低再使用プリアンブルを生成し、ここで、低再使用プリアンブルは、同期信号、ブロードキャスト・チャネル、または基準信号の少なくとも１つを含む、サブ・フレーム内の制御シグナリング・シンボルおよび共通基準信号シンボルを識別し、制御シグナリング・シンボルおよび共通基準信号シンボルに対してオーバラップしない方式で、サブ・フレームのトラフィック・チャネルへ低再使用プリアンブルを組み込み、低再使用プリアンブルを少なくとも１つのモバイル・デバイスへ送信する、ように構成されたプロセッサを含みうる。
【図面の簡単な説明】
【００１９】
【図１】図１は、さまざまな態様にしたがって、高干渉状況において、低再使用プリアンブルによって基地局を検出することを容易にする無線通信システムの例を例示する。
【図２】図２は、さまざまな態様にしたがう、低再使用プリアンブルのためのリソース図の例を例示する。
【図３】図３は、さまざまな態様にしたがう、低再使用プリアンブルのためのリソース図の例を例示する。
【図４】図４は、さまざまな態様にしたがって、低再使用プリアンブルの生成および送信を容易にするシステムの例を例示する。
【図５】図５は、さまざまな態様にしたがって、低再使用プリアンブルのサブ・チャネルの生成を容易にするシステムの例を例示する。
【図６】図６は、さまざまな態様にしたがって、低再使用プリアンブルによる基地局の検出を容易にするシステムの例を例示する。
【図７】図７は、高干渉環境において基地局を検出するための方法の例の例示である。
【図８】図８は、さまざまな態様にしたがって、高干渉環境におけるセル探索を容易にするために低再使用プリアンブルを適用する方法の例の例示である。
【図９】図９は、さまざまな態様にしたがって、高干渉環境において基地局を検出することを容易にする装置の例の例示である。
【図１０】図１０は、さまざまな態様にしたがって、高干渉環境におけるセル探索を容易にする装置の例の例示である。
【図１１】図１１は、本明細書に記載された機能のさまざまな態様を実現するために利用されうる無線通信デバイスのブロック図である。
【図１２】図１２は、本明細書に記載された機能のさまざまな態様を実現するために利用されうる無線通信デバイスのブロック図である。
【図１３】図１３は、本明細書に記載されたさまざまな態様にしたがう無線通信システムの例示である。
【図１４】図１４は、本明細書に記載されたさまざまな態様が機能しうる無線通信システムを例示するブロック図である。
【発明を実施するための形態】
【００２０】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００２１】
本願で使用されるように、用語「構成要素」、「モジュール」、「システム」等は、例えば、ハードウェア、ファームウェア、ハードウェアとソフトウェアとの組み合わせ、ソフトウェア、または実行中のソフトウェアのようなコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２２】
さらに、本明細書では、さまざまな態様が、無線端末および／または基地局に関して記載される。無線端末は、ユーザに音声および／またはデータ接続を提供するデバイスを称しうる。無線端末は、例えばラップトップ・コンピュータまたはデスクトップ・コンピュータのようなコンピュータ・デバイスに接続されるか、あるいは、例えば携帯情報端末（ＰＤＡ）のような自己完結型デバイスでありえる。無線端末はまた、システム、加入者ユニット、加入者局、移動局、モバイル、遠隔局、アクセス・ポイント、遠隔端末、アクセス端末、ユーザ端末、ユーザ・エージェント、ユーザ・デバイス、あるいはユーザ機器（ＵＥ）とも称されうる。無線端末は、加入者局、無線デバイス、セルラ電話、ＰＣＳ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えば、アクセス・ポイント、ノードＢ、あるいはイボルブド・ノードＢ（ｅＮＢ））は、１または複数のセクタを介して、無線端末と、エア・インタフェースによって通信する、アクセス・ネットワーク内のデバイスを称する。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００２３】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００２４】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えば、ユニバーサル地上ラジオ・アクセス（ＵＴＲＡ）、ＣＤＭＡ２０００、高速パケット・アクセス（ＨＳＰＡ）、高速ダウンリンク・パケット・アクセス（ＨＳＤＰＡ）、高速アップリンク・パケット・アクセス（ＨＳＵＰＡ）等のようなラジオ技術を実現しうる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えば発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いる、例えばリリース８のようなＵＭＴＳのリリースである。ＨＳＰＡ、ＨＳＤＰＡ、ＨＳＵＰＡ、ＵＴＲＡ、Ｅ−ＵＴＲＡ、ＵＭＴＳ、ＬＴＥ、ＬＴＥ−Ａ、ＳＡＥ、ＥＰＣ、およびＧＳＭは、「第３世代パートシップ計画」（３ＧＰＰ）と命名された組織からの文書に記載されている。さらに、ＣＤＭＡ２０００およびＵＭＢは、「第３世代パートナシップ計画２」（３ＧＰＰ２）からの文書に記載されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。明瞭さのために、以下の記載では、ＷＣＤＭＡ、ＨＳＰＡ、ＨＳＤＰＡ、およびＨＳＵＰＡに関連付けられた専門用語が使用される。しかしながら、添付された特許請求の範囲は、特に明記されていないのであれば、ＷＣＤＭＡ、ＨＳＰＡ、ＨＳＤＰＡ、およびＨＳＵＰＡに限定されるべきであるとは意図されていないことが認識されるべきである。
【００２５】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２６】
多くのデバイス、構成要素、モジュール等を含みうるシステムの観点から、さまざまな態様が示されるだろう。さまざまなシステムは、追加のデバイス、構成要素、モジュール等を含みうるか、および／または、図面に関連して説明したようなデバイス、構成要素、モジュール等のうちのすべてを含む訳ではないことが理解および認識されるべきである。これらのアプローチの組み合わせもまた使用されうる。
【００２７】
図面に示すように、図１は、さまざまな態様にしたがって、高干渉状況において、低再使用プリアンブルによって基地局を検出することを容易にする無線通信システム１００の例を例示する。無線通信システム１００は、第１の基地局すなわちｅノードＢ（ｅＮＢ）１２０、第２の基地局すなわちｅＮＢ１３０、およびユーザ機器（ＵＥ）１１０を含む。ｅＮＢ１２０およびＵＥ１１０は、無線リンクによって互いに通信しうる。例えば、ｅＮＢ１２０は、ダウンリンク・チャネルによってＵＥ１２０へ情報を送信し、ＵＥ１１０は、アップリンク・チャネルによってｅＮＢ１２０に情報を送信しうる。同様に、ＵＥ１１０はまた、それぞれのアップリンク・チャネルおよび／またはダウンリンク・チャネルで、ｅＮＢ１３０と通信しうる。図１には、説明を容易にするために、２つのｅＮＢ（例えば、ｅＮＢ１２０、１３０）および１つのＵＥ１１０しか例示されていないが、システム１００は、任意の数のＵＥおよび／またはｅＮＢを含みうることが認識されるべきである。さらに、ｅＮＢ１２０、１３０は、基地局、アクセス・ポイント、ｅノードＢ、イボルブド・ノードＢ、ノードＢ等と称されうる。ＵＥ１１０は、モバイル・デバイス、モバイル端末、移動局、局、無線端末等と称されうる。さらに、システム１００は、３ＧＰＰ  ＬＴＥまたはＬＴＥ−Ａ無線ネットワーク、ＷＣＤＭＡ無線ネットワーク、ＯＦＤＭＡ無線ネットワーク、ＣＤＭＡネットワーク、３ＧＰＰ２  ＣＤＭＡ２０００ネットワーク、ＥＶ−ＤＯネットワーク、ＷｉＭＡＸネットワーク、ＨＳＰＡネットワーク等において動作しうることが認識されるべきである。以下に記載された態様は、ＬＴＥネットワークおよび／またはＬＴＥラジオ・アクセス技術に関して説明されているが、本明細書に記載された技術は、その他の無線ネットワークおよび／またはラジオ・アクセス技術においても、同様に上記ネットワーク内で利用されうることが認識されるべきである。
【００２８】
態様では、ｅＮＢ１２０、１３０が、それぞれの地理的エリアのために、無線有効通信範囲を提供しうる。カバーされた地理的エリアは、ｅＮＢ１２０またはｅＮＢ１３０のセルとして示されうる。例によれば、ｅＮＢ１２０は、比較的大きな地理的エリアをカバーするマクロセルに関連付けられうる。ｅＮＢ１２０は、ＵＥへの無制限のアクセスを許可しうる。ＵＥ１１０は、一例では、ｅＮＢ１２０を介して通信ネットワークにアクセスするように構成されたマクロセルラＵＥでありうる。これは、マクロセルに関連付けられている。一般に、ＵＥ１１０は、ｅＮＢ１２０を検出するためにセル探索を実行しうる。セル探索中、ＵＥ１１０は、例えばｅＮＢ１２０によってサービス提供されるセルのようなセルとの、周波数およびシンボル同期を獲得し、セルのフレーム・タイミングを獲得し、このセルに関連付けられた物理レイヤ・セル識別情報を確認しうる。態様では、ＬＴＥは、５０４の異なる物理レイヤ・セル識別情報をサポートする。ここでは、このセル識別情報のセットがさらに、おのおの３つのセル識別情報を含む１６８のセル識別情報グループへ分割される。
【００２９】
セル探索を容易にするために、ｅＮＢ１２０は、一次同期信号（ＰＳＳ）および二次同期信号（ＳＳＳ）を送信しうる。ＰＳＳは、態様において、端部において５つのゼロを持って拡張され、ダウンリンクの中央の７３のサブ・キャリアにマップされた、長さ６３のＺａｄｏｆｆ−Ｃｈｕシーケンスでありうる。ＰＳＳは、３つの異なる値のうちの１つを採用しうる。ここで、おのおのの値は、セル識別情報グループ内のセル識別情報を指定する。ＵＥ１１０は、ＰＳＳを検出した後、このセルのスロット・タイミング（例えば、５ミリ秒タイミング）と、ｅＮＢ１２０に関連付けられたセル識別情報グループ内のセル識別情報とを判定しうる。ＵＥ１１０は、ＰＳＳを検出した後、ｅＮＢ１２０によって送信されたＳＳＳを検出しうる。このＳＳＳは、態様において、ともにインタリーブされた、長さ３１の２つのＭシーケンスでありうる。ＳＳＳは、１６８の異なる値のうちの１つを採用しうる。ここで、おのおのの値は、セル識別情報グループを指定する。ＵＥ１１０は、ＳＳＳを検出した後、ラジオ・フレーム・タイミング、ｅＮＢ１２０に関連付けられた物理レイヤ・セル識別情報、サイクリック・プレフィクス長さ、および、周波数分割デュプレクス（ＦＤＤ）または時分割デュプレクス（ＴＤＤ）が適用されているか、を判定しうる。ＵＥ１１０は、ＳＳＳを検出した後、物理ブロードキャスト・チャネル（ＰＢＣＨ）でブロードキャストされたシステム情報を復号することに進みうる。特に、ＰＢＣＨにおけるシステム情報は、帯域幅情報、ＰＨＩＣＨ設定情報、および／または、システム・フレーム数を伝送するマスタ情報を含みうる。その後、ＵＥ１１０は、ランダム・アクセス手順を開始しうる。
【００３０】
例において、ｅＮＢ１３０は、比較的小さな地理的エリア（例えば、住宅、事務所、ビルディング等）をカバーし、制限されたアクセスを提供する、フェムトセルに関連付けられうる。例えば、ｅＮＢ１３０は、クローズド加入者グループ（ＣＳＧ）に含まれたＵＥによるアクセスを許可する。例によれば、ＵＥ１１０は、ＣＳＧから除外されうる。（例えば、サポートされた有効通信範囲エリア内のように）ｅＮＢ１３０の近傍にある間、ＵＥ１１０は、ｅＮＢ１３０の送信（例えば、ブロードキャスト、同期信号、パイロット信号等）からの干渉を受ける。このような干渉は、上述したように、ＵＥ１１０が、ｅＮＢ１２０を検出することおよび獲得することを阻害するほど十分高いレベルに達しうる。同期されたネットワークでもありうる同じオペレータ・ネットワーク内に、ｅＮＢ１３０とｅＮＢ１２０とが含まれている場合、例えばｅＮＢ１３０のようなフェムトセルの展開による高干渉状況が、より頻繁な有効通信範囲ブラックアウトをもたらしうる。
【００３１】
（例えば、異なる電力クラスの基地局を含むネットワーク（マクロセル、フェムトセル、ピコセル等）のような）ヘテロジニアスなネットワークでは、フェムトセルまたはホーム・ノードＢ（ＨＮＢ）の展開は、一般に、オペレータによって計画されない。したがって、高干渉エリアが、より大きなマクロセル内にランダムに発生しうる。マクロセルラＵＥにおけるフェムトセル展開の悪影響を低減するために、ｅＮＢ１２０は、低再使用プリアンブル１４０を定期的に送信しうる。低再使用プリアンブル１４０は、識別情報および／またはシステム情報を含みうる。これは、ＵＥ１１０によるｅＮＢ１２０の検出を容易にする。さらに、低再使用プリアンブル１４０は、プリアンブルのコヒーレントな復調および復号を容易にするために、パイロットまたは基準信号を含みうる。１つの態様では、低再使用プリアンブル１４０は、連続した送信間で比較的長期間となるように送信されうる。例えば、ｅＮＢ１２０は、低再使用プリアンブル１４０を、１００ミリ秒毎に送信しうる。しかしながら、その他の送信期間長さも利用され、送信期間は、オペレータによって設定されるか、および／または、干渉測定値、システム負荷等に基づいて、システム１００によって動的に調整されうることが認識されるべきである。
【００３２】
ｅＮＢ１２０によってＰＳＳ／ＳＳＳ送信を検出する代わりに、ＵＥ１１０は、低再使用プリアンブル１４０の検出および復号を行いうる。例えば、ｅＮＢ１２０のＰＳＳ／ＳＳＳ送信は、ｅＮＢ１３０からの高い干渉によって阻止されうる。しかしながら、ｅＮＢ１２０は、低再使用プリアンブル１４０を送信するために、別のリソースを用い、これによって、ＵＥ１１０は、高干渉環境にも関わらず、プリアンブルを検出しうる。
【００３３】
図２に移って、低再使用プリアンブルの例を図示するリソース図２００が例示される。リソース図２００は、スロット毎に７つ（サブ・フレーム毎に１４）のシンボルを含む通常のサイクリック・プレフィクスで利用されうる低再使用プリアンブル構造２０２と、スロット毎に６つ（サブ・フレーム毎に１２）のシンボルを含む拡張されたサイクリック・プレフィクスで利用されうる低再使用プリアンブル構造２０４と、を図示する。例によれば、構造２０２、２０４は、周波数次元における６つのリソース・ブロック（ＲＢ）、および、時間次元における１つのサブ・フレーム（２スロット）に及びうる。周波数次元および／または時間次元におけるサイズが変更する別の構造も特許請求の範囲のスコープ内に入ることが意図されるので、権利主張される主題は、図２に例示される構造２０２、２０４の例に限定されないことが認識されるべきである。
【００３４】
図２に図示するように、低再使用プリアンブルは、限定される訳ではないが、例えば、同期信号（例えば、低再使用同期信号（ＬＲ−ＳＳ））、ブロードキャスト・チャネル（例えば、低再使用ブロードキャスト・チャネル（ＬＲ−ＢＣＨ））、および／または、基準信号（例えば、低再使用基準信号（ＬＲ−ＲＳ））のような複数のサブ・チャネルを含みうる。態様では、これらサブ・チャネルは、共通基準信号（ＣＲＳ）および制御領域が回避されるように、サブ・フレーム内に配置される。態様では、サブ・フレームの制御領域は、大きなシステム帯域幅の場合、最初のスロット内の１、２、または３つのシンボルに及び、小さなシステム帯域幅の場合、最初のスロット内の最大５つのシンボルに及びうる。一般に、制御領域シンボルは、サブ・フレームの最初のシンボルである。
【００３５】
（セル特有の基準信号としても称される）共通基準信号は、ＵＥによるチャネル推定値の生成を容易にしうる。共通基準信号シンボルの構成は、基地局のために設定されたアンテナ・ポートの数に依存しうる。例えば、おのおののアンテナ・ポートは、リソース・ブロックのユニークな基準要素を占有するそれぞれの共通基準信号を有しうる。一例において、共通基準信号シンボルは、４つのアンテナ・ポートのために、構造２０２、２０３に示すように、１または複数のＯＦＤＭシンボルのリソース要素を占有しうる。ＣＲＳおよび制御シグナリングを回避するために、低再使用プリアンブルは、通常のサイクリック・プレフィクスの場合、サブ・フレームのシンボル５、６、９、１０、１２、１３を占有し、拡張されたサイクリック・プレフィクスの場合、シンボル４、５、８、１０、１１を占有しうる。特に、ＬＲ−ＳＳは、シンボル５（通常のサイクリック・プレフィクス）またはシンボル４（拡張されたサイクリック・プレフィクス）を占有し、ＬＲ−ＢＣＨは、シンボル６、９、１０、１２、１３（通常のサイクリック・プレフィクス）またはシンボル５、８、１０、１１（拡張されたサイクリック・プレフィクス）を利用し、ＬＲ−ＲＳは、通常のサイクリック・プレフィクスの場合、シンボル９、１２に組み込まれるか、または、拡張されたサイクリック・プレフィクスの場合、シンボル８、１０に組み込まれうる。
【００３６】
態様では、ＬＲ−ＳＳは、前述したように、同期信号検出によって、低再使用プリアンブルの高速検出を可能にする。それに加えて、ＬＲ−ＳＳは、低再使用プリアンブル検出誤りを低減するために、ＬＲ−ＢＣＨまたはＬＲ−ＲＳのスクランブリングおよび／またはランダム化を容易にする。例えば、ＬＲ−ＳＳは、ＬＲ−ＲＳ位置シフトおよびスクランブリングを容易にしうる。別の例において、ＬＲ−ＳＳは、ＬＲ−ＢＣＨスクランブリングおよび巡回冗長検査（ＣＲＣ）マスキングを容易にしうる。セル探索をさらに容易にするために、ＬＲ−ＳＳは、識別情報のうちの少なくとも一部を伝送しうる。例えば、ＬＲ−ＳＳは、部分的なセル識別情報（例えば、セル識別情報グループ、または、グループ内の識別情報）を含みうるか、または、ＬＲ−ＳＳは、完全なセル識別情報を含みうる。
【００３７】
態様によれば、ＬＲ−ＳＳは、ＬＴＥリリース８のＰＳＳ／ＳＳＳ設計を利用しうる。例えば、ＬＲ−ＳＳは、Ｚａｄｏｆｆ−Ｃｈｕシーケンス、および／または、ともに連結された２つの長さ３１のＭシーケンスを含みうる。別の態様では、ＬＲ−ＳＳは、良好な相互相関特性を提供する、最適化されたシーケンスを適用しうる。
【００３８】
ＬＲ−ＲＳは、ＬＴＥリリース８共通基準信号（ＲＳ）設計を適用しうる。例えば、２つの送信アンテナをサポートするために、２つのインタレース（例えば、ＬＲ−ＲＳ０およびＬＲ−ＲＳ１）が利用されうる。位置シフトおよび／またはスクランブリングは、ＬＲ−ＳＳシーケンスに基づきうる。別の例において、スクランブリングは、インタレースおよび／またはＲＳ位置インデクスに基づきうる。別の態様では、ＬＲ−ＲＳは、ＬＴＥリリース８専用の、またはＵＥ特有の基準信号設計を適用しうる。さらに別の態様では、ＬＲ−ＲＳは、総括的なＲＳシーケンスおよび配置を適用しうる。例えば、予め定められたシーケンスおよび／またはリソース要素位置が、ＬＲ−ＲＳを生成するために利用されうる。予め定められたシーケンスは、ＬＲ−ＲＳによる高速なプリアンブル検出を容易にするために、良好な相互関連特性を持つシーケンスでありうる。
【００３９】
ＬＲ−ＲＳおよびＬＲ−ＳＳと同様に、ＬＲ−ＢＣＨは、ＬＴＥリリース８からのＰＢＣＨ設計を利用しうる。１つの態様では、ＬＲ−ＢＣＨは、空間周波数ブロック符号化（ＳＦＢＣ）ダイバーシティをサポートしうる。ＵＥは、どのダイバーシティが適用されるのかを決定するために、ＳＦＢＣ送信または非ＳＦＢＣ送信のブラインド復号を実行しうる。それに加えて、ＬＲ−ＢＣＨに適用されたＣＲＣマスキングは、ダイバーシティ情報を含みうる。別の態様では、ＬＲ−ＢＣＨは、ＱＰＳＫ変調およびテール・ビット畳み込み符号化を利用しうる。
【００４０】
別の例において、低再使用プリアンブルは、低再使用プリアンブルの最初の２つのシンボルが、最初のスロット内にあり、残りのシンボルが、次のスロット内にあるように、ＬＴＥリリース８スロット境界に従いうる。おのおののスロットが、異なる周波数位置においてホップするように、サブ・フレーム内ホッピングが利用されうる。
【００４１】
図３を参照して、低再使用プリアンブルの例を示すリソース図３００が例示される。リソース図３００は、スロット毎に７つ（サブ・フレーム毎に１４）のシンボルを含む、通常のサイクリック・プレフィクスで利用されうる低再使用プリアンブル構造３０２と、スロット毎に６つ（サブ・フレーム毎に１２）のシンボルを含む、拡張されたサイクリック・プレフィクスで利用されうる低再使用プリアンブル構造３０４とを図示している。この例によれば、構造３０２、３０４は、周波数次元における６つのリソース・ブロック（ＲＢ）と、時間次元における１つのサブ・フレーム（２つのスロット）とに及びうる。周波数次元および／または時間次元において可変サイズを有するその他の構造も、特許請求の範囲のスコープ内にあることが意図されると考えられるので、権利主張される主題は、図３に例示する構造３０２、３０４の例に限定されないことが認識されるべきである。
【００４２】
態様では、構造３０２、３０４はそれぞれ、同期信号（例えば、ＬＲ−ＳＳ）を含まない低再使用プリアンブルを図示する。ＣＲＳおよび制御シグナリングを回避するために、低再使用プリアンブルは、通常のサイクリック・プレフィクスの場合、サブ・フレームのシンボル５、６、９、１０、１２、１３を占有し、拡張されたサイクリック・プレフィクスの場合、シンボル４、５、８、１０、１１を占有しうる。特に、ＬＲ−ＢＣＨは、シンボル５、６、９、１０、１２、１３（通常のサイクリック・プレフィクス）またはシンボル４、５、８、１０、１１（拡張されたサイクリック・プレフィクス）を利用し、ＬＲ−ＲＳは、通常のサイクリック・プレフィクスの場合、シンボル５、９、１２に組み込まれ、拡張されたサイクリック・プレフィクスの場合、シンボル４、８、１０に組み込まれうる。
【００４３】
図４に移って、さまざまな態様にしたがって、低再使用プリアンブルの生成および送信を容易にするシステム４００が例示される。システム４００は、前述した図に関して説明されるＵＥ１１０を含みうる。ＵＥ１１０は、例えば基地局４１０および基地局４２０のような少なくとも２つの基地局に関連付けられたそれぞれの有効通信範囲エリア内に位置しうる。基地局４１０、４２０はそれぞれ、さまざまな電力クラスのうちの１つに関連付けられうる。例えば、基地局４１０、４２０は、マクロセルに関連付けられたマクロ基地局、フェムトセルに関連付けられたフェムト基地局、または、ピコセルに関連付けられたピコ基地局のうちの１つでありうる。
【００４４】
ＵＥ１１０は、ダウンリンク・チャネルおよびアップリンク・チャネルによって、基地局４１０および／または基地局４２０と通信するように構成されうる。単一セル構成では、ＵＥ１１０は、サービス提供セルとして図示されうる基地局４１０または基地局４２０のうちの１つと通信しうる。しかしながら、ＵＥ１１０は、例えばコーディネート・マルチポイント（ＣｏＭＰ）動作のようなマルチ・セル通信のために構成され、これによって、ＵＥ１１０は、基地局４１０、４２０の両方と、アップリンク・チャネルおよびダウンリンク・チャネルによって通信することが認識されるべきである。
【００４５】
ＵＥ１１０は、基地局４１０および／または基地局４２０にアクセスする前に、セル探索手順を実行する。セル探索手順は、初期同期または新たなセル識別に関連付けられて実行されうる。例において、ＵＥ１１０は、電源が投入された場合、または、サービス提供セルへの接続を喪失した場合、初期同期を実行する。ＵＥ１１０は、セルに既に接続されている場合、新たな近隣セルを識別するためにセル探索を実行しうる。これは、ハンドオーバまたはセル再選択に至る場合がある。
【００４６】
態様では、ＵＥ１１０は、基地局４１０および／または基地局４２０の検出および／または獲得を試みるものの、干渉元の基地局４５０から高レベルの干渉を受けるかもしれない。例によれば、干渉元の基地局４５０は、フェムトセルに関連付けられたフェムト基地局でありうる。これは、一般には、通信ネットワークにおいて低電力のアクセス・ポイントである。干渉元の基地局４５０は、対応するクローズド加入者グループ（ＣＳＧ）を含みうる。ＣＳＧのメンバーではない加入者（例えば、ＵＥ１１０）は、干渉元の基地局４５０へのアクセスが許可されない。したがって、干渉元の基地局４５０によって送信された信号は、ＵＥ１１０が、基地局４１０、４２０から信号を受信させないようにしうる。いくつかの状況では、干渉元の基地局４５０からの干渉は、セル探索中、基地局４１０、４２０の検出および獲得を禁止しうる。
【００４７】
高い干渉にも関わらず検出を可能にするために、基地局４１０、４２０は、それぞれ低再使用プリアンブル（ＬＲＰ）４３０、４４０を送信しうる。ＬＲＰ４３０、４４０は、限定される訳ではないが、セル識別子、クリアされたリソース、帯域幅サイズ、フレーム数等のような情報を含みうる。態様では、ＵＥ１１０は、干渉元の基地局４５０からの干渉に関わらず、基地局４１０、４２０を検出するために、ＬＲＰ４３０、４４０を受信および評価しうる。
【００４８】
態様では、基地局４１０は、低再使用プリアンブル４３０を構築するプリアンブル生成モジュール４１２を含みうる。低再使用プリアンブル４３０は、サブ・チャネルのセットを含みうる。サブ・チャネルのセットは、同期チャネル、ブロードキャスト・チャネル、および／または、パイロット・チャネルを含みうる。図５に短く移って、詳細なプリアンブル生成モジュール４１２が、態様に従って例示されている。プリアンブル生成モジュール４１２は、同期信号サブ・チャネル（例えば、ＬＲ−ＳＳ）に含めるべき同期信号を提供する同期信号生成モジュール５０２を含みうる。同期信号は、基地局４１０に関連付けられたセル識別情報を伝送しうる。態様では、同期信号生成モジュール５０２は、値が部分的なセル識別情報である、長さ６３のＺａｄｏｆｆ−Ｃｈｕシーケンスを利用しうる。別の態様では、信号生成モジュール５０２は、部分的なセル識別情報を含む同期信号を生成するために、長さ３１の２つのＭシーケンスをインタリーブしうる。別の態様では、同期信号生成モジュール５０２は、完全なセル識別情報を提供するために、長さ６３のＺａｄｏｆｆ−Ｃｈｕシーケンスと、長さ３１の２つのＭシーケンスとの両方を適用しうる。別の例において、最適化された２進数すなわちＣｈｕシーケンスが適用されうる。最適化されたシーケンスは、増強された相互相関特性を提供しながら、セル識別情報を含みうる。さらに、低再使用プリアンブルがシステム帯域幅の中央部分に位置する場合、同期信号生成モジュール５０２は、追加のスクランブリングを実施しうる。
【００４９】
プリアンブル生成モジュール４１２はさらに、基準信号生成モジュール５０４を含みうる。これは、低再使用基準信号を構築する。態様では、基準信号生成モジュール５０４は、低再使用基準信号を生成するために、共通またはセル特有の基準信号のために利用されるシーケンスを適用しうる。例えば、低再使用基準信号は、５０４の異なる基準信号シーケンスのうちの１つでありうる。ここでは、おのおののシーケンスが、特定のセル識別情報に対応する。
【００５０】
別の態様では、プリアンブル生成モジュール４１２は、低再使用ブロードキャスト・チャネルに含めるためのペイロードを生成するブロードキャスト信号生成モジュール５０６を含みうる。ペイロードは、例えば、システム帯域幅に関連する情報、セル識別情報（例えば、物理レイヤ・セル識別情報）、システム・フレーム数、クリアされたリソース、および／または、基地局４１０の獲得を容易にするその他の情報、のようなシステム情報を含みうる。ペイロードには、巡回冗長検査（ＣＲＣ）が挿入されうる。一例において、ＣＲＣは、低再使用同期信号のために利用されたシーケンスに基づきうる。別の態様では、ＣＲＣは、空間ダイバーシティ情報（例えば、ダイバーシティが適用されているか、および／または、どのタイプであるか）を含みうる。ブロードキャスト信号生成モジュール５０６は、ＣＲＣが添付されたペイロードに、テール・ビット畳み込み符号化を適用しうる。しかしながら、（例えば、ターボ符号化、畳み込み符号化のような）その他の符号化技術が適用され、特許請求の範囲のスコープ内にあることが意図されていることが認識されるべきである。符号化の後、ブロードキャスト信号生成モジュール５０６は、符号化されたブロックを変調しうる。一例では、直交フェーズ・シフト・キーイング（ＱＰＳＫ）が利用されうる。
【００５１】
図４に戻って、基地局４１０はさらに、ダウンリンク・リソース上に低再使用プリアンブル４３０をマップするプリアンブル配置モジュール４１４をも含みうる。一例において、プリアンブル配置モジュール４１４は、低再使用プリアンブル４３０のサブ・チャネルのセットを配置するために、例えば、上述した構造２０２、２０４、３０２、３０４のようなリソース構造またはその他の適切な構造を利用しうる。特に、プリアンブル配置モジュール４１４は、低再使用プリアンブル４３０を、サブ・フレームのダウンリンク・トラフィック・チャネル（例えば、物理ダウンリンク共有チャネル（ＰＤＳＣＨ））部分に組み込みうる。ＰＤＳＣＨに低再使用プリアンブル４３０を組み込むことによって、プリアンブルによって利用されるリソースが無視されるようになるので、プリアンブルは、レガシーＵＥに対して透過的になる。
【００５２】
態様では、プリアンブル配置モジュール４１４は、低再使用プリアンブル４３０を位置決めするために、サブ・フレーム内の６つのリソース・ブロック・ストリップを選択しうる。さらに、プリアンブル配置モジュール４１４は、低再使用プリアンブルを送信するために、任意のサブ・フレームを選択することができる。しかしながら、一例では、サブ・フレーム０、５は、小さな帯域幅システム（例えば、６つのリソース・ブロック帯域幅）内に確保されうる。
【００５３】
別の態様によれば、基地局４１０は、いつ低再使用プリアンブル４３０を送信するかを決定するプリアンブル送信モジュール４１６を含みうる。プリアンブル送信モジュール４１６は、送信期間に関する送信決定に基づきうる。この送信期間は、システム４００のオペレータによって予め設定されうる。別の例では、プリアンブル送信モジュール４１６は、干渉測定値（例えば、チャネル推定値、チャネル品質インジケータ・レポート等）、システム負荷等に基づいて送信期間を動的に設定しうる。送信期間は、比較的大きくなりうる（例えば、１００ミリ秒）、しかしながら、（例えば、５０ミリ秒、１００ミリ秒、１５０ミリ秒、２００ミリ秒等のような）その他の期間も設定され、特許請求の範囲のスコープ内に入ることが意図されると考慮されるので、権利主張される主題は、この送信期間に限定されないことが考慮されるべきである。別の例において、プリアンブル送信モジュール４１６は、送信期間によって示されるような低再使用プリアンブル送信機会に達すると、この機会中、低再使用プリアンブル４３０が送信されるべきかを判定しうる。例えば、プリアンブル送信モジュール４１６は、送信するか否かを選択するために、擬似乱数生成器を利用しうる。
【００５４】
システム４００にさらに例示されるように、基地局４１０は、プロセッサ４１７および／またはメモリ４１９を含みうる。これらは、プリアンブル生成モジュール４１２、プリアンブル配置モジュール４１４、プリアンブル送信モジュール４１６、の機能のうちのいくつかまたはすべて、および／または、基地局４１０のその他の機能を実施するために利用されうる。
【００５５】
図６は、さまざまな態様にしたがって、低再使用プリアンブルによる基地局の検出を容易にするシステム６００を例示する。システム６００は、ＵＥ１１０、基地局４１０、基地局４２０、および干渉元の基地局４５０を含みうる。これは、前述した図面を参照して上述した同じ符番の構成要素と実質的に同じであり、同様の機能を実行しうる。態様では、ＵＥ１１０は、低再使用プリアンブル４３０、４４０をそれぞれ用いて、基地局４１０および／または基地局４２０を検出しうる。ＵＥ１１０は、基地局４１０および／または基地局４２０を発見するが、その間、干渉元の基地局４５０（例えば、フェムトセルまたはその他のアクセス不可能なセル）による高いレベルの干渉を受ける。
【００５６】
ＵＥ１１０は、検出モジュール６１２、評価モジュール６１４、および／または、同期モジュール６１６を含みうる。検出モジュール６１２は、例えば、基地局４１０、４２０に関連付けられたプリアンブル４３０、４４０のような低再使用プリアンブルを検出するために、トラフィック・チャネル（例えば、ユーザ・データに関連付けられたサブ・フレームの一部）をモニタしうる。例において、ＵＥ１１０は、基地局４１０、４２０、４５０に関連付けられたネットワークと同期するために、同期モジュール６１６を適用しうる。例えば、このネットワークは、同期されたネットワークでありうる。したがって、同期モジュール６１６は、フレームおよび／またはスロット・タイミングを獲得するために、基地局４５０によって送信された干渉信号を利用しうる。このようなタイミング同期は、低再使用プリアンブル４３０、４４０を含むサブ・フレームのトラフィック・チャネル部分の識別を容易にしうる。
【００５７】
評価モジュール６１４は、セルに関する情報を取得するために、検出された低再使用プリアンブルを復調および復号しうる。態様では、評価モジュール６１４は、符号化されたシーケンスを識別するために、ＬＲ−ＳＳ（低再使用プリアンブルにおける同期信号）を分析しうる。評価モジュール６１４は、ＲＳシンボル位置を識別することのみならず、ＬＲ−ＢＣＨおよびＬＲ−ＲＳをデスクランブルするために、このシーケンスを利用しうる。ＬＲ−ＲＳは、セルの獲得を容易にするためのシステム情報を含むＬＲ−ＢＣＨのコヒーレントな復調および復号を容易にしうる。
【００５８】
システム６００においてさらに例示されるように、ＵＥ１１０は、プロセッサ６１７および／またはメモリ６１９を含みうる。これらは、検出モジュール６１２、評価用モジュール６１４、同期モジュール６１６、のいくつかまたはすべての機能、および／または、ＵＥ１１０のその他の機能を実施するために利用されうる。
【００５９】
図７−８を参照して、方法は、基地局によって定期的に、低電力で送信された低再使用プリアンブルによるセルの検出を容易にすることに関連して記載される。これらの方法は、上述したシステム１００、４００、５００、および／または、６００によって実現されうる。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６０】
図７に移って、高干渉環境において基地局を検出する方法７００が例示される。方法７００は、例えば、高レベルの干渉にも関わらずセルを獲得するためにユーザ機器（例えばＵＥ１１０）によって適用されうる。参照番号７０２では、基地局によって送信された低再使用プリアンブルが検出される。例において、低再使用プリアンブルを検出するために、トラフィック・チャネル（例えば、物理ダウンリンク共有チャネル）がモニタされうる。トラフィック・チャネルをモニタすることは、干渉元の基地局を経由して、基地局に関連付けられたネットワークとの同期化を図ることによって容易とされうる。同期後、サブ・フレームのトラフィック・チャネル部分が識別されうる。
【００６１】
別の態様では、低再使用プリアンブルは、同期信号、ブロードキャスト・チャネル、および／または、基準信号を含みうる。低再使用プリアンブルを検出することは、低再使用プリアンブルの同期信号を識別すること（例えば、検出すること）により有効とされうる。参照番号７０４では、低再使用プリアンブルが評価され、基地局に関連付けられたシステム情報が識別される。態様では、このシステム情報は、セル識別情報、システム帯域幅情報、システム・フレーム数、ハイブリッド自動反復要求チャネル設定情報、ランダム・アクセス情報、オペレータ情報、および／または、制限情報のうちの少なくとも１つを含みうる。一例において、システム情報は、低再使用プリアンブルに含まれたブロードキャスト・チャネルを復号することにより取得されうる。
【００６２】
図８を参照して、高干渉環境におけるセル探索を容易にするために低再使用プリアンブルを適用する方法８００が例示される。方法８００は、例えば、ＵＥが基地局を検出することを可能にするために、基地局（例えば、ｅＮＢ１２０、基地局４１０、基地局４２０等）によって適用されうる。参照番号８０２では、低再使用プリアンブルが生成される。態様では、低再使用プリアンブルは、基地局に関連付けられたシステム情報を含みうる。低再使用プリアンブルは、同期信号、ブロードキャスト・チャネル、または基準信号を含みうる。一例では、同期信号は、Ｚａｄｏｆｆ−Ｃｈｕシーケンスを含みうる。別の例では、２進数シーケンスが利用されうる。さらに、同期信号のために利用されるシーケンスは、増強された相互関連特性を提供するために最適化されうる。ブロードキャスト・チャネルおよび／または基準信号を生成する場合、同期信号のために適用されるシーケンスは、ブロードキャスト・チャネルおよび／または基準信号をスクランブルするために利用されうる。基準信号は、ダウンリンクにおけるセル特有の基準信号のために適用された共通基準信号構造に基づいて生成されうる。さらに、ブロードキャスト・チャネルを生成することは、ブロードキャスト・チャネルにおけるシステム情報を符号化することを含みうる。システム情報を符号化するために、畳み込み符号化および／またはＱＰＳＫ変調が適用されうる。しかしながら、ブロードキャスト・チャネルのために、その他の符号化技術および／または変調技術が適用されうることが認識されるべきである。
【００６３】
参照番号８０４では、低再使用プリアンブルが、サブ・フレーム内のトラフィック・チャネルに組み込まれうる。例において、低再使用プリアンブルは、制御シグナリングおよび共通基準信号を伝送する、サブ・フレームのシンボルを回避することにより組み込まれうる。例えば、制御シグナリング・シンボルおよび共通基準信号シンボルが、サブ・フレーム内で識別される。これらのシンボルは、低再使用プリアンブルを、オーバラップしない方式で、サブ・フレーム内に配置することによって回避されうる。参照番号８０６では、低再使用プリアンブルは、少なくとも１つのモバイル・デバイスに送信される。
【００６４】
本明細書に記載された１または複数の態様によれば、推論は、低再使用プリアンブルを検出すること、低再使用プリアンブルの送信期間を設定すること、低再使用プリアンブルを評価すること等に関連してなされうることが認識されるであろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００６５】
次に図９を参照して、高干渉環境において基地局を検出することを容易にする装置９００が例示される。装置９００は、プロセッサ、ソフトウェア、またはそれらの組み合わせ（例えば、ファームウェア）によって実現される機能を表す機能ブロックでありうる機能ブロックを含むものとして示されることが認識されるべきである。装置９００は、モバイル・デバイス（例えば、ＵＥ１１０）、および／または、その他任意の適切なネットワーク・エンティティによって実現されうる。装置９００は、基地局によって送信された低再使用プリアンブルを検出するためのモジュール９０２と、基地局に関連付けられたシステム情報を取得するために低再使用プリアンブルを分析するためのモジュール９０４とを含みうる。さらに、装置９００は、低再使用プリアンブルを位置決めするためにサブ・フレームのトラフィック・チャネルをモニタするための、オプションのモジュール９０６と、干渉元の基地局を経由して、基地局に関連付けられたネットワークと同期するための、オプションのモジュール９０８と、低再使用プリアンブルの同期信号を識別するための、オプションのモジュール９１０と、ブロードキャスト・チャネルを復号するための、オプションのモジュール９１２とを含みうる。それに加えて、装置９００は、モジュール９０２−９１２に関連付けられた機能を実行するための命令群を保持するメモリ９１４を含みうる。
【００６６】
図１０に移って、高干渉環境におけるセル探索を容易にする装置１０００が図示される。装置１０００は、プロセッサ、ソフトウェア、またはそれらの組み合わせ（例えば、ファームウェア）によって実現される機能を表す機能ブロックでありうる機能ブロックを含むものとして示されることが認識されるべきである。装置１０００は、基地局（例えば、ｅＮＢ１２０、基地局４１０等）、および／または、その他任意の適切なネットワーク・エンティティによって実現されうる。装置１１００は、システム情報を含む低再使用プリアンブルを生成するためのモジュール１００２と、低再使用プリアンブルを、サブ・チャネルのトラフィック・チャネルへ組み込むためのモジュール１００４と、少なくとも１つのモバイル・デバイスに低再使用プリアンブルを送信するためのモジュール１００６とを含みうる。それに加えて、装置１０００は、モジュール１００２−１００６に関連付けられた機能を実行するための命令群を保持するメモリ１００８を含みうる。
【００６７】
図１１は、本明細書に記載された機能のさまざまな態様を実現するために利用されうる別のシステム１１００のブロック図である。一例では、システム１１００は、モバイル・デバイス１１０２を含んでいる。図示されるように、モバイル・デバイス１１０２は、１または複数の基地局１１０４から信号を受信し、１または複数のアンテナ１１０８を経由して１または複数の基地局１１０４へ送信しうる。それに加えて、モバイル・デバイス１１０２は、アンテナ１１０８から情報を受け取る受信機１１１０を備えうる。一例において、受信機１１１０は、受信した情報を復調する復調器（Ｄｅｍｏｄ）１１１２と動作可能に関連付けられうる。その後、復調されたシンボルは、プロセッサ１１１４によって分析されうる。プロセッサ１１１４は、モバイル・デバイス１１０２に関連するデータおよび／またはプログラム・コードを格納しうるメモリ１１１６に接続されうる。モバイル・デバイス１１０２はまた、送信機１１２０によるアンテナ１１０８を介した送信のために信号を多重化する変調器１１１８を含みうる。
【００６８】
図１２は、本明細書に記載された機能のさまざまな態様を実現するために利用されうるシステム１２００のブロック図である。１つの例において、システム１２００は、基地局またはｅＮＢ１２０２を含みうる。図示されるように、基地局１２０２は、１または複数のＵＥ１２０４からの信号を、１または複数の受信（Ｒｘ）アンテナ１２０６から受信し、１または複数の送信（Ｔｘ）アンテナ１２０８を介して１または複数のＵＥ１２０４へ送信しうる。それに加えて、基地局１２０２は、受信アンテナ（単数または複数）１２０６から情報を受信する受信機１２１０を備えうる。一例において、受信機１２１０は、受信した情報を復調する復調器（Ｄｅｍｏｄ）１２１２と動作可能に関連付けられうる。その後、復調されたシンボルは、プロセッサ１２１４によって分析されうる。プロセッサ１２１４は、符号クラスタ、アクセス端末割当、これらに関連するルックアップ・テーブル、ユニークなスクランブリング・シーケンスに関連する情報、および／または、その他の適切なタイプの情報を格納しうるメモリ１２１６に接続されうる。基地局１２０２はまた、送信機１２２０による送信アンテナ１２０８を介した送信のために、信号を多重化しうる変調器１２１８を含みうる。
【００６９】
図１３に示すように、本明細書に記載されたさまざまな実施形態にしたがった無線通信システム１３００が例示されている。システム１３００は、複数のアンテナ・グループを含みうる基地局（例えば、アクセス・ポイント）１３０２を備える。例えば、１つのアンテナ・グループは、アンテナ１３０４およびアンテナ１３０６を含むことができ、別のグループはアンテナ１３０８およびアンテナ１３１０を備えることができ、さらに別のグループはアンテナ１３１２およびアンテナ１３１４を含むことができる。おのおののアンテナ・グループについて２本のアンテナしか例示されていないが、２本より多いアンテナ、または２本より少ないアンテナも、各グループのために利用されうる。基地局１３０２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００７０】
基地局１３０２は、例えばＵＥ１３１６およびＵＥ１３２２のような１または複数のＵＥと通信しうる。しかしながら、基地局１３０２は、ＵＥ１３１６、１３２２に類似した実質的に任意の数のＵＥと通信しうることが認識されるべきである。ＵＥ１３１６、１３２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１３００によって通信するその他任意の適切なデバイスでありうる。図示するように、ＵＥ１３１６は、アンテナ１３１２、１３１４と通信し、アンテナ１３１２、１３１４は、ダウンリンク１３１８によってＵＥ１３１６に情報を送信し、アップリンク１３２０によってＵＥ１３１６から情報を受信する。さらに、ＵＥ１３２２は、アンテナ１３０４、１３０６と通信し、アンテナ１３０４、１３０６は、ダウンリンク１３２４によってＵＥ１３２２に情報を送信し、アップリンク１３２６によってＵＥ１３２２から情報を受信する。周波数分割デュプレクス（ＦＤＤ）システムでは、例えば、ダウンリンク１３１８が、アップリンク１３２０によって使用されるものとは異なる周波数帯域を利用し、ダウンリンク１３２４が、アップリンク１３２６によって適用されるものとは異なる周波数帯域を適用しうる。さらに、時分割デュプレクス（ＴＤＤ）システムでは、ダウンリンク１３１８とアップリンク１３２０とが、共通の周波数帯域を利用し、ダウンリンク１３２４とアップリンク１３２６とが、共通の周波数帯域を利用しうる。
【００７１】
通信するように指定された領域および／またはアンテナのおのおののグループは、基地局１３０２のセクタと称されうる。例えば、アンテナ・グループは、基地局１３０２によってカバーされた領域のセクタ内のＵＥへ通信するように設計されうる。ダウンリンク１３１８、１３２４による通信では、基地局１３０２の送信アンテナは、ＵＥ１３１６、１３２２のためのダウンリンク１３１８、１３２４の信号対雑音比を向上するために、ビームフォーミングを利用しうる。さらに、基地局１３０２は、関連付けられた有効通信範囲にわたってランダムに分散したＵＥ１３１６、１３１２へ送信するためにビームフォーミングを利用している間、近隣セル内のＵＥは、すべてのＵＥに対して単一のアンテナによって送信している基地局と比べて、少ない干渉しか被らない。さらに、ＵＥ１３１６、１３２２は、ピア・トゥ・ビアまたはアド・ホック技術（図示せず）を使用して、互いにダイレクトに通信しうる。
【００７２】
例によれば、システム１３００は、複数入力複数出力（ＭＩＭＯ）通信システムでありうる。さらに、システム１３００は、通信チャネル（例えば、ダウンリンク、アップリンク）を分割するために、例えばＦＤＤ、ＦＤＭ、ＴＤＤ、ＴＤＭ、ＣＤＭ等のような実質的に任意のタイプのデュプレクス技術を利用しうる。さらに、通信チャンネルは、チャネルによって複数のデバイスまたはＵＥとの同時通信を可能にするために直交化されうる。この観点において、一例としてＯＦＤＭが利用されうる。したがって、チャネルは、期間にわたる周波数の部分に分割されうる。さらに、フレームは、期間の集合にわたる周波数の部分として定義され、例えば、フレームは、多くのＯＦＤＭシンボルを含みうる。基地局１３０２は、さまざまなタイプのデータのために生成されうるチャネルによってＵＥ１３１６、１３２２へ通信しうる。例えば、チャネルは、さまざまなタイプの一般的な通信データ、制御データ（例えば、他のチャネルのための品質情報、チャネルを介して受信されたデータのためのアクノレッジメント・インジケータ、干渉情報、基準信号等）等を通信するために生成されうる。
【００７３】
無線多元接続通信システムは、複数の無線アクセス端末のための通信を同時にサポートすることができる。前述したように、おのおのの端末は、順方向リンクおよび逆方向リンクによる送信によって１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（“ＭＩＭＯ”）システム、あるいは、その他いくつかのタイプのシステムによって確立されうる。
【００７４】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割されうる。ここで、ＮＳ≦｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えうる。
【００７５】
ＭＩＭＯシステムは、時分割デュプレクス（“ＴＤＤ”）および周波数分割デュプレクス（“ＦＤＤ”）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００７６】
図１４は、無線通信システム１４００の例を示す。無線通信システム１４００は、簡潔さの目的のため、１つの基地局１４１０と１つのアクセス端末１４５０しか示していない。しかしながら、システム１４００は、１より多い基地局、および／または、１より多いアクセス端末を含みうることが認識されるべきである。ここで、追加の基地局および／またはアクセス端末は、以下に示す基地局１４１０およびアクセス端末１４５０の例と実質的に類似しうるか、あるいは、異なりうる。それに加えて、基地局１４１０および／またはアクセス端末１４５０は、その間の無線通信を容易にするために、本明細書に記載されたシステム（図１、４、５、６、および９−１０）および／または方法（図７−８）を適用しうることが認識されるべきである。
【００７７】
基地局１４１０では、多くのデータ・ストリームのためのトラフィック・データが、データ・ソース１４１２から送信（ＴＸ）データ・プロセッサ１４１４へ提供される。一例によれば、おのおののデータ・ストリームが、それぞれのアンテナを介して送信される。ＴＸデータ・プロセッサ１４１４は、トラフィック・データ・ストリームをフォーマットし、このデータ・ストリームのために選択された特定の符号化スキームに基づいて符号化し、インタリーブして、符号化されたデータを提供する。
【００７８】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１４５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１４３０によって実行または提供される指示によって決定されうる。
【００７９】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１４２０は、その後、ＮＴ個の変調シンボル・ストリームを、ＮＴ個の送信機（ＴＭＴＲ）１４２２ａ乃至１４２２ｔへ提供する。さまざまな実施形態において、ＴＸ  ＭＩＭＯプロセッサ１４２０は、データ・ストリームのシンボル、および、そのシンボルが送信されるアンテナへ、ビームフォーミング重みを適用する。
【００８０】
おのおのの送信機１４２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１４２２ａ乃至１４２２ｔからのＮＴ個の変調信号が、ＮＴ個のアンテナ１４２４ａ乃至１４２４ｔそれぞれから送信される。
【００８１】
アクセス端末１４５０では、送信された変調信号は、ＮＲ個のアンテナ１４５２ａ乃至１４５２ｒによって受信され、おのおののアンテナ１４５２から受信した信号は、受信機（ＲＣＶＲ）１４５４ａ乃至１４５４ｒのそれぞれに提供される。おのおのの受信機１４５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８２】
ＲＸデータ・プロセッサ１４６０は、ＮＲ個の受信機１４５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１４６０は、検出されたおのおののシンボル・ストリームを復調し、デインタリーブし、復号して、そのデータ・ストリームのためのトラフィック・データを復元する。ＲＸデータ・プロセッサ１４６０による処理は、基地局１４１０におけるＴＸ  ＭＩＭＯプロセッサ１４２０およびＴＸデータ・プロセッサ１４１４によって実行されるものと相補的である。
【００８３】
プロセッサ１４７０は、上述したように、利用可能などの技術を利用するのかを定期的に決定する。さらに、プロセッサ１４７０は、行列インデクス部およびランク値部を備えた逆方向リンク・メッセージを規定することができる。
【００８４】
逆方向リンク・メッセージは、通信リンクおよび／または受信されたデータ・ストリームに関するさまざまなタイプの情報を備えうる。逆方向のリンク・メッセージは、データ・ソース１４３６からの多くのデータ・ストリームに関するトラフィック・データも受信するＴＸデータ・プロセッサ１４３８によって処理され、変調器１４８０によって変調され、送信機１４５４ａ乃至１４５４ｒによって調整され、基地局１４１０へ送り戻される。
【００８５】
基地局１４１０では、アクセス端末１４５０からの変調された信号が、アンテナ１４２４によって受信され、受信機１４２２によって調整され、復調器１４４０によって復調され、ＲＸデータ処理装置１４４２によって処理されることによって、アクセス端末１４５０によって送信された逆方向リンク・メッセージが抽出される。さらに、プロセッサ１４３０は、ビームフォーミング重みを決定するためにどの事前符号化行列を使用するかを決定するために、この抽出されたメッセージを処理する。
【００８６】
プロセッサ１４３０およびプロセッサ１４７０は、基地局１４１０およびアクセス端末１４５０それぞれにおける動作を指示（例えば、制御、調整、管理等）する。プロセッサ１４３０およびプロセッサ１４７０はそれぞれ、プログラム・コードおよびデータを格納するメモリ１４３２およびメモリ１４７２に関連付けられうる。プロセッサ１４３０およびプロセッサ１４７０はまた、アップリンクおよびダウンリンクそれぞれのための周波数およびインパルス応答推定値を導出する計算をも実行する。
【００８７】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００８８】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを含みうる。
【００８９】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００９０】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００９１】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００９２】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。上述したものは、１または複数の実施形態の一例しか含んでいない。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用されている用語である「または」は、「限定しない、または」であると意味される。
以下に、本願出願の当初の特許請求の範囲に記載された発明を付記する。
［Ｃ１］
方法であって、
基地局によって送信された低再使用プリアンブルを検出することと、
前記基地局に関連付けられたシステム情報を識別するために、前記低再使用プリアンブルを評価することと、
を備える方法。
［Ｃ２］
前記低再使用プリアンブルを位置決めするために、サブ・フレームのトラフィック・チャネルをモニタすることをさらに備える、Ｃ１に記載の方法。
［Ｃ３］
前記トラフィック・チャネルは、物理ダウンリンク共有チャネルである、Ｃ２に記載の方法。
［Ｃ４］
干渉元の基地局を経由して、前記基地局に関連付けられたネットワークと同期することをさらに備える、Ｃ１に記載の方法。
［Ｃ５］
サブ・フレームのトラフィック・チャネル部分を識別することをさらに備える、Ｃ４に記載の方法。
［Ｃ６］
前記干渉元の基地局は、フェムトセルに関連付けられている、Ｃ４に記載の方法。
［Ｃ７］
前記低再使用プリアンブルは、同期信号、ブロードキャスト・チャネル、または基準信号の少なくとも１つを含む、Ｃ１に記載の方法。
［Ｃ８］
前記低再使用プリアンブルを検出することは、前記同期信号を識別することを備える、Ｃ７に記載の方法。
［Ｃ９］
前記低再使用プリアンブルを評価することは、前記システム情報を取得するために、前記ブロードキャスト・チャネルを復号することを備える、Ｃ７に記載の方法。
［Ｃ１０］
前記システム情報は、セル識別情報、システム帯域幅情報、システム・フレーム数、ハイブリッド自動反復要求チャネル設定情報、ランダム・アクセス情報、オペレータ情報、または制限情報のうちの少なくとも１つを含む、Ｃ１に記載の方法。
［Ｃ１１］
無線通信装置であって、
基地局によって送信された低再使用プリアンブルを識別することと、
前記基地局に関連付けられたシステム情報を識別するために、前記低再使用プリアンブルを評価することと、
に関連する命令群を保持するメモリと、
前記メモリに接続され、前記メモリに保持された命令群を実行するように構成されたプロセッサと、
を備える無線通信装置。
［Ｃ１２］
前記メモリはさらに、前記低再使用プリアンブルを位置決めするために、サブ・フレームのトラフィック・チャネルをモニタすることに関連する命令群を保持する、Ｃ１１に記載の無線通信装置。
［Ｃ１３］
前記メモリはさらに、干渉元の基地局を経由して、前記基地局に関連付けられたネットワークと同期することに関連する命令群を保持する、Ｃ１１に記載の無線通信装置。
［Ｃ１４］
前記低再使用プリアンブルは、同期信号、ブロードキャスト・チャネル、または基準信号の少なくとも１つを含む、Ｃ１１に記載の無線通信装置。
［Ｃ１５］
前記メモリはさらに、前記同期信号を識別することに関連する命令群を保持する、Ｃ１４に記載の無線通信装置。
［Ｃ１６］
前記メモリはさらに、前記システム情報を取得するために、前記ブロードキャスト・チャネルを復号することに関連する命令群を保持する、Ｃ１４に記載の無線通信装置。
［Ｃ１７］
高干渉環境において基地局の検出を可能にする装置であって、
前記基地局によって送信された低再使用プリアンブルを検出する手段と、
前記基地局に関連付けられたシステム情報を取得するために、前記低再使用プリアンブルを分析する手段と、
を備える装置。
［Ｃ１８］
前記低再使用プリアンブルを位置決めするために、サブ・フレームのトラフィック・チャネルをモニタする手段をさらに備える、Ｃ１７に記載の装置。
［Ｃ１９］
干渉元の基地局を経由して、前記基地局に関連付けられたネットワークと同期する手段をさらに備える、Ｃ１７に記載の装置。
［Ｃ２０］
前記低再使用プリアンブルは、同期信号、ブロードキャスト・チャネル、または基準信号の少なくとも１つを含む、Ｃ１７に記載の装置。
［Ｃ２１］
前記同期信号を識別する手段をさらに備える、Ｃ２０に記載の装置。
［Ｃ２２］
前記システム情報を取得するために、前記ブロードキャスト・チャネルを復号する手段をさらに備える、Ｃ２０に記載の装置。
［Ｃ２３］
コンピュータ・プログラム製品であって、
少なくとも１つのコンピュータに対して、基地局によって送信された低再使用プリアンブルを検出させるためのコードと、
前記少なくとも１つのコンピュータに対して、前記基地局に関連付けられたシステム情報を識別するために、前記低再使用プリアンブルを評価させるためのコードと、
を備えるコンピュータ読取可能媒体を備える、コンピュータ・プログラム製品。
［Ｃ２４］
前記コンピュータ読取可能媒体はさらに、前記少なくとも１つのコンピュータに対して、前記低再使用プリアンブルを位置決めするために、サブ・フレームのトラフィック・チャネルをモニタさせるためのコードを備える、Ｃ２３に記載のコンピュータ・プログラム製品。
［Ｃ２５］
前記コンピュータ読取可能媒体はさらに、前記少なくとも１つのコンピュータに対して、干渉元の基地局を経由して、前記基地局に関連付けられたネットワークと同期させるためのコードを備える、Ｃ２３に記載のコンピュータ・プログラム製品。
［Ｃ２６］
前記コンピュータ読取可能媒体はさらに、前記少なくとも１つのコンピュータに対して、サブ・フレームのトラフィック・チャネル部分を識別させるためのコードを備える、Ｃ２５に記載のコンピュータ・プログラム製品。
［Ｃ２７］
前記低再使用プリアンブルは、同期信号、ブロードキャスト・チャネル、または基準信号の少なくとも１つを含む、Ｃ２３に記載のコンピュータ・プログラム製品。
［Ｃ２８］
前記コンピュータ読取可能媒体はさらに、前記少なくとも１つのコンピュータに対して、前記同期信号を識別させるためのコードを備える、Ｃ２７に記載のコンピュータ・プログラム製品。
［Ｃ２９］
前記コンピュータ読取可能媒体はさらに、前記少なくとも１つのコンピュータに対して、前記システム情報を取得するために、前記ブロードキャスト・チャネルを復号させるためのコードを備える、Ｃ２７に記載のコンピュータ・プログラム製品。
［Ｃ３０］
前記システム情報は、セル識別情報、システム帯域幅情報、システム・フレーム数、ハイブリッド自動反復要求チャネル設定情報、ランダム・アクセス情報、オペレータ情報、または制限情報のうちの少なくとも１つを含む、Ｃ２３に記載のコンピュータ・プログラム製品。
［Ｃ３１］
無線通信装置であって、
基地局によって送信された低再使用プリアンブルを識別し、ここで、前記低再使用プリアンブルは、サブ・フレームのトラフィック・チャネル部分で送信される、
前記基地局に関連付けられたシステム情報を識別するために、前記低再使用プリアンブルを評価する、
ように構成されたプロセッサを備える、無線通信装置。
［Ｃ３２］
方法であって、
基地局に関連付けられたシステム情報を含む低再使用プリアンブルを生成することと、
前記低再使用プリアンブルを、サブ・フレームのトラフィック・チャネル部分に組み込むことと、
前記低再使用プリアンブルを少なくとも１つのモバイル・デバイスへ送信することと、
を備える方法。
［Ｃ３３］
前記低再使用プリアンブルは、同期信号、ブロードキャスト・チャネル、または基準信号の少なくとも１つを含む、Ｃ３２に記載の方法。
［Ｃ３４］
前記同期信号は、Ｚａｄｏｆｆ−Ｃｈｕシーケンスである、Ｃ３３に記載の方法。
［Ｃ３５］
前記同期信号は、２進数のシーケンスである、Ｃ３３に記載の方法。
［Ｃ３６］
前記同期信号は、増強された相互相関特性を提供するように最適化される、Ｃ３３に記載の方法。
［Ｃ３７］
前記同期信号を備えるシーケンスを用いて、前記ブロードキャスト・チャネルをスクランブルすることをさらに備える、Ｃ３３に記載の方法。
［Ｃ３８］
前記同期信号を備えるシーケンスを用いて、前記基準信号をスクランブルすることをさらに備える、Ｃ３３に記載の方法。
［Ｃ３９］
前記ブロードキャスト・チャネルにおける前記システム情報を符号化することをさらに備える、Ｃ３３に記載の方法。
［Ｃ４０］
前記基準信号のために共通基準信号構造を適用することをさらに備える、Ｃ３３に記載の方法。
［Ｃ４１］
前記低再使用プリアンブルを、前記トラフィック・チャネル部分に組み込むことは、制御シグナリング信号および共通基準信号を伝送する、前記サブ・フレームのシンボルを回避することを備える、Ｃ３２に記載の方法。
［Ｃ４２］
無線通信装置であって、
基地局に関連付けられたシステム情報を含む低再使用プリアンブルを生成することと、ここで、前記低再使用プリアンブルは、同期信号、ブロードキャスト・チャネル、または基準信号の少なくとも１つを含む、
前記低再使用プリアンブルを、サブ・フレームのトラフィック・チャネル部分に組み込むことと、
前記低再使用プリアンブルを、少なくとも１つのモバイル・デバイスへ送信することと、
に関連する命令群を保持するメモリと、
前記メモリに接続され、前記メモリに保持された命令群を実行するように構成されたプロセッサと、
を備える無線通信装置。
［Ｃ４３］
前記メモリはさらに、前記同期信号を備えるシーケンスを用いて、前記ブロードキャスト・チャネルをスクランブルすることに関連する命令群を保持する、Ｃ４２に記載の無線通信装置。
［Ｃ４４］
前記メモリはさらに、前記同期信号を備えるシーケンスを用いて、前記基準信号をスクランブルすることに関連する命令群を保持する、Ｃ４２に記載の無線通信装置。
［Ｃ４５］
前記メモリはさらに、前記ブロードキャスト・チャネルにおける前記システム情報を符号化することに関連する命令群を保持する、Ｃ４２に記載の無線通信装置。
［Ｃ４６］
前記メモリはさらに、前記基準信号を生成するために共通基準信号構造を適用することに関連する命令群を保持する、Ｃ４２に記載の無線通信装置。
［Ｃ４７］
前記メモリはさらに、
前記サブ・フレーム内の制御シグナリング・シンボルおよび共通基準信号シンボルを識別することと、
前記制御シグナリング・シンボルおよび共通基準信号シンボルに対してオーバラップしない方式で、前記低再使用プリアンブルを配置することと、
に関連する命令群を保持する、Ｃ４２に記載の無線通信装置。
［Ｃ４８］
装置であって、
基地局に関連付けられたシステム情報を含む低再使用プリアンブルを生成する手段と、ここで、前記低再使用プリアンブルは、同期信号、ブロードキャスト・チャネル、または基準信号の少なくとも１つを含む、
前記低再使用プリアンブルを、サブ・フレームのトラフィック・チャネル部分に組み込む手段と、
前記低再使用プリアンブルを、少なくとも１つのモバイル・デバイスへ送信する手段と、
を備える装置。
［Ｃ４９］
前記同期信号に含まれたシーケンスを用いて、前記ブロードキャスト・チャネルまたは基準信号のうちの少なくとも１つをスクランブルする手段をさらに備える、Ｃ４８に記載の装置。
［Ｃ５０］
前記ブロードキャスト・チャネルにおける前記システム情報を符号化する手段をさらに備える、Ｃ４８に記載の装置。
［Ｃ５１］
前記サブ・フレーム内の制御シグナリング・シンボルおよび共通基準信号シンボルを識別する手段と、
制御シグナリング・シンボルおよび共通基準信号シンボルに対してオーバラップしない方式で、前記低再使用プリアンブルを配置する手段と
をさらに備える、Ｃ４８に記載の装置。
［Ｃ５２］
コンピュータ・プログラム製品であって、
少なくとも１つのコンピュータに対して、基地局に関連付けられたシステム情報を含む低再使用プリアンブルを生成させるためのコードと、ここで、前記低再使用プリアンブルは、同期信号、ブロードキャスト・チャネル、または基準信号の少なくとも１つを含む、
前記少なくとも１つのコンピュータに対して、サブ・フレーム内の制御シグナリング・シンボルおよび共通基準信号シンボルを識別させるためのコードと、
前記少なくとも１つのコンピュータに対して、前記制御シグナリング・シンボルおよび共通基準信号シンボルに対してオーバラップしない方式で、前記サブ・フレームのトラフィック・チャネルへ前記低再使用プリアンブルを組み込ませるためのコードと、
前記少なくとも１つのコンピュータに対して、前記低再使用プリアンブルを少なくとも１つのモバイル・デバイスへ送信させるためのコードと、
を備えるコンピュータ読取可能媒体を備える、コンピュータ・プログラム製品。
［Ｃ５３］
前記コンピュータ読取可能媒体はさらに、前記少なくとも１つのコンピュータに対して、前記ブロードキャスト・チャネルにおける前記システム情報を符号化させるためのコードを備える、Ｃ５２に記載のコンピュータ・プログラム製品。
［Ｃ５４］
無線通信装置であって、
基地局に関連付けられたシステム情報を含む低再使用プリアンブルを生成し、ここで、前記低再使用プリアンブルは、同期信号、ブロードキャスト・チャネル、または基準信号の少なくとも１つを含む、
サブ・フレーム内の制御シグナリング・シンボルおよび共通基準信号シンボルを識別し、
前記制御シグナリング・シンボルおよび共通基準信号シンボルに対してオーバラップしない方式で、前記サブ・フレームのトラフィック・チャネルへ前記低再使用プリアンブルを組み込み、
前記低再使用プリアンブルを少なくとも１つのモバイル・デバイスへ送信する、
ように構成されたプロセッサを備える、無線通信装置。
［Ｃ５５］
前記プロセッサはさらに、前記ブロードキャスト・チャネルにおける前記システム情報を符号化するように構成された、Ｃ５４に記載の無線通信装置。
【図１】
0005705846.tif 000002
【図２】
0005705846.tif 000003
【図３】
0005705846.tif 000004
【図４】
0005705846.tif 000005
【図５】
0005705846.tif 000006
【図６】
0005705846.tif 000007
【図７】
0005705846.tif 000008
【図８】
0005705846.tif 000009
【図９】
0005705846.tif 000010
【図１０】
0005705846.tif 000011
【図１１】
0005705846.tif 000012
【図１２】
0005705846.tif 000013
【図１３】
0005705846.tif 000014
【図１４】
0005705846.tif 000015